(57)【要約】【課題】つけ直しが容易であるとともに、装着者の肌に接触するおそれが少ない吸収パッドの係止手段を提供する。【解決手段】上記課題は、おむつ表面に固定された付根部分と、この付根部分から突出する突出部分と、この突出部分における前後端部がそれぞれ倒伏状態でおむつ表面に対して固定されて形成された倒伏部分４ｅと、突出部分のうち前後の倒伏部分４ｅ間に位置する非固定の自由部分４ｆと、この自由部分４ｆの少なくとも先端部に、前後方向に伸張した状態で固定されたギャザー弾性伸縮部材とを有する脚周り立体ギャザー４を備え、自由部分４ｆの内面における、前後少なくとも一方の倒伏部分４ｅの近傍にのみ、フック材９からなるパッド連結部２０が設けられた、使い捨ておむつにより解決される。【選択図】図１１
2014068852.tif 000002
【特許請求の範囲】
【請求項１】
表面の幅方向両側部に、脚周り立体ギャザーがそれぞれ前後方向に沿って延在されている、使い捨ておむつにおいて、
前記脚周り立体ギャザーは、おむつ表面に固定された付根部分と、この付根部分から突出する突出部分と、この突出部分における前後端部がそれぞれ倒伏状態でおむつ表面に対して固定されて形成された倒伏部分と、前記突出部分のうち前後の前記倒伏部分間に位置する非固定の自由部分と、この自由部分の少なくとも先端部に、前後方向に伸張した状態で固定されたギャザー弾性伸縮部材とを有するものであり、
前記自由部分の内面における、前後少なくとも一方の前記倒伏部分の近傍にのみ、フック材からなるパッド連結部が設けられており、
おむつの表面に吸収パッドを敷くときに、前記パッド連結部が吸収パッドの側部表面に連結される、
ことを特徴とする使い捨ておむつ。
【請求項２】
一方の前記脚周り立体ギャザーの自由部分から他方の前記脚周り立体ギャザーの自由部分まで延在する本体部分と、この本体部分のウエスト側に延在しておむつ表面に固定された固定部分とを有し、前記本体部分における前記脚周り立体ギャザーの自由部分と重なる部分が前記脚周り立体ギャザーの自由部分と接合された、ウエスト漏れ防止帯を備えている、請求項１記載の使い捨ておむつ。
【請求項３】
前記パッド連結部が、前記自由部分における前記ウエスト漏れ防止帯の股間側の縁と対応する前後方向位置又はその股間側近傍に設けられている、請求項２記載の使い捨ておむつ。
【請求項４】
前記おむつ表面における前記パッド連結部と対向する部位に、前記フック材が係止不可能な非係止部が設けられている、請求項１〜３のいずれか１項に記載の使い捨ておむつ。
【請求項５】
前記パッド連結部は、前記自由部分における前記ギャザー弾性部材よりも前記付根部分側に設けられている、請求項１〜４のいずれか１項に記載の使い捨ておむつ。
【発明の詳細な説明】
【技術分野】
【０００１】
本発明は、吸収パッドの固定手段を備えた使い捨ておむつに関する。
【背景技術】
【０００２】
使い捨ておむつにおいては、吸収体を含む本体部の表面の両側部に、身体側に突出する脚周り立体ギャザーがそれぞれ前後方向に沿って延在しているものが一般的となっている（例えば特許文献１参照）。このような脚周り立体ギャザーを備えることによって、両脚周り立体ギャザー間に排泄物が留まり、特に着用者の脚周り部からの排泄物の漏れが防止される。
【０００３】
また、使い捨ておむつにおいては、少量排泄時におむつ全体を交換せずに済むように、アウター使い捨ておむつの表面に尿吸収を目的とした吸収パッド（パッドタイプの使い捨ておむつである）を敷いて使用することがあり、吸収パッドの裏面に設けられた粘着剤層や面ファスナー（メカニカルファスナー）のフック材（オス材）等の係止手段により、吸収パッドをアウター使い捨ておむつの表面に固定することが一般的となっている。このような利用形態は、成人向けの使い捨ておむつに多いものである。
【０００４】
また、吸収パッドに係止手段を設けることに代えて、アウター使い捨ておむつに吸収パッドの係止手段を設けるものとして、脚周り立体ギャザーの内面に滑り止めを設けるもの（特許文献１参照）や、トップシートにおける脚周り立体ギャザーの対向面に接着部を設けるもの（特許文献２参照）も提案されている。
【先行技術文献】
【特許文献】
【０００５】
【特許文献１】特許第４５１４６２０号公報
【特許文献２】実開平０７−０００３２９号公報
【発明の概要】
【発明が解決しようとする課題】
【０００６】
しかしながら、特許文献１の滑り止めは吸収パッドの確実な固定を図るものではない。これに対して特許文献２の接着部は確実に固定できるが、繰り返し接着が困難であるため、吸収パッドの位置決めを一度で正確に行う必要があり、装着作業に困難性を伴う。また、接着部の位置が脚周り立体ギャザーと対向する部位だとしてもトップシート上である限り、装着者の肌に接触するおそれは高いものとなる。
【０００７】
そこで本発明の主たる課題は、つけ直しが容易であるとともに、装着者の肌に接触するおそれが少ない吸収パッドの係止手段を提供することにある。
【課題を解決するための手段】
【０００８】
上記課題を解決するために、特許文献２の接着部をフック材に置き換えることも考えられるが、裏面がフック材と係合しない構造の吸収パッドは固定することができない。この点、特許文献１の滑り止めに倣って、脚周り立体ギャザーの内面に係止手段を設けることも考えられるが、単に脚周り立体ギャザーの内面に係止手段を設けた場合、脚周り立体ギャザーが倒伏して用をなさない。以下に述べる本発明はこのような知見に基づくものである。
【０００９】
＜請求項１記載の発明＞
表面の幅方向両側部に、脚周り立体ギャザーがそれぞれ前後方向に沿って延在されている、使い捨ておむつにおいて、
前記脚周り立体ギャザーは、おむつ表面に固定された付根部分と、この付根部分から突出する突出部分と、この突出部分における前後端部がそれぞれ倒伏状態でおむつ表面に対して固定されて形成された倒伏部分と、前記突出部分のうち前後の前記倒伏部分間に位置する非固定の自由部分と、この自由部分の少なくとも先端部に、前後方向に伸張した状態で固定されたギャザー弾性伸縮部材とを有するものであり、
前記自由部分の内面における、前後少なくとも一方の前記倒伏部分の近傍にのみ、フック材からなるパッド連結部が設けられており、
おむつの表面に吸収パッドを敷くときに、前記パッド連結部が吸収パッドの側部表面に連結される、
ことを特徴とする使い捨ておむつ。
【００１０】
（作用効果）
本発明の使い捨ておむつをアウターとしてその表面に吸収パッドを敷くときには、パッド連結部を吸収パッドの側部表面に連結することができる。よって、裏面に係止手段の無い吸収パッドでも確実に固定することができる。
【００１１】
そして、吸収パッドの裏面はフィルムであることが多いが、吸収パッドの側部表面は市販品のほぼ全てが不織布であるため、メカニカルファスナーのフック材をパッド連結部に用いることで、つけ直しが可能となる。また、パッド連結部は脚周り立体ギャザーの内面に隠れるため、装着者の肌に触れるおそれが少ない。
【００１２】
しかも、パッド連結部の位置が、前後少なくとも一方の倒伏部分の近傍であるから、パッド連結部を吸収パッドの側部表面に連結したとしても、脚周り立体ギャザーの自由部分の大部分が起立可能となり、十分な漏れ防止機能を発揮する。また、脚周り立体ギャザーの自由部分のうち倒伏部分の近傍は起立高さが低いため、脚周り立体ギャザーに加わる起立力によりパッド連結部が剥がれるといった事態が発生し難いという利点もある。
【００１３】
＜請求項２記載の発明＞
一方の前記脚周り立体ギャザーの自由部分から他方の前記脚周り立体ギャザーの自由部分まで延在する本体部分と、この本体部分のウエスト側に延在しておむつ表面に固定された固定部分とを有し、前記本体部分における前記脚周り立体ギャザーの自由部分と重なる部分が前記脚周り立体ギャザーの自由部分と接合された、ウエスト漏れ防止帯を備えている、請求項１記載の使い捨ておむつ。
【００１４】
（作用効果）
このようなウエスト漏れ防止帯と組み合わせることにより、ウエスト側からの漏れを防止できるだけでなく、ウエスト漏れ防止帯の幅方向中間部を掴んで引き上げることにより、これに繋がる脚周り立体ギャザーのパッド連結部を有する部位が左右両側ともにおむつ表面から持ち上がるため、パッド連結部の下側への吸収パッドの挿入作業が容易となる。
【００１５】
＜請求項３記載の発明＞
前記パッド連結部が、前記自由部分における前記ウエスト漏れ防止帯の股間側の縁と対応する前後方向位置又はその股間側近傍に設けられている、請求項２記載の使い捨ておむつ。
【００１６】
（作用効果）
ウエスト漏れ防止帯の幅方向中間部を掴んで引き上げると、脚周り立体ギャザーの自由部分は、ウエスト漏れ防止帯の股間側の縁と対応する前後方向位置又はその股間側近傍が直接的に引き上げられる部位となる。よって、この部位にパッド連結部を設けておくことにより、しっかりとかつ大きくパッド連結部を引き上げることができる。
【００１７】
＜請求項４記載の発明＞
前記おむつ表面における前記パッド連結部と対向する部位に、前記フック材が係止不可能な非係止部が設けられている、請求項１〜３のいずれか１項に記載の使い捨ておむつ。
【００１８】
（作用効果）
このような非係止部を設けることにより、パッド連結部がおむつ表面に付着しないため、吸収パッドの装着に先立ってパッド連結部を剥がす必要がなくなるとともに、使用時に誤ってパッド連結部がおむつ表面に付着するのも防止できる。
【００１９】
＜請求項５記載の発明＞
前記パッド連結部は、前記自由部分における前記ギャザー弾性部材よりも前記付根部分側に設けられている、請求項１〜４のいずれか１項に記載の使い捨ておむつ。
【００２０】
（作用効果）
パッド連結部を吸収パッドの側部表面に連結すると、この連結部における脚周り立体ギャザーの起立高さは低くならざるを得ないが、このようにパッド連結部をギャザー弾性部材よりも付根部分側に設けることにより、自由部分が起立する前後方向長さが減少しない。また、パッド連結部を有する部位は倒伏部分の近傍であり、起立高さが元々低い部位であるため、わずかでも自由部分が残されていればその起立幅は狭くなるが起立高さは殆ど変わらない。
【発明の効果】
【００２１】
以上のとおり、本発明によれば、つけ直しが容易であるとともに、装着者の肌に接触するおそれが少ない吸収パッドの係止手段を備えた使い捨ておむつとなる、等の利点がもたらされる。
【図面の簡単な説明】
【００２２】
【図１】吸収パッドの展開状態の内面側を示す平面図である。
【図２】吸収パッドの展開状態の外面側を示す平面図である。
【図３】図１のＹ−Ｙ断面図である。
【図４】図１のＺ−Ｚ断面図である。
【図５】テープタイプ使い捨ておむつの展開状態の内面側を示す平面図である。
【図６】テープタイプ使い捨ておむつの展開状態の外面側を示す平面図である。
【図７】図１のiii-iii断面図である。
【図８】図１のiv-iv断面図である。
【図９】図１のｖ−ｖ断面図である。
【図１０】図１のii-ii断面図である。
【図１１】吸収パッド装着状態を示す、展開状態のテープタイプ使い捨ておむつの平面図（内面側）である。
【図１２】図１１のii-ii断面図である。
【図１３】ウエスト漏れ防止帯を引き上げて吸収パッドを差し込んだ状態を示す、テープタイプ使い捨ておむつの斜視図である。
【図１４】図１３の状態における、図１１のii-ii断面図である。
【図１５】テープタイプ使い捨ておむつの展開状態の内面側を示す平面図である。
【図１６】テープタイプ使い捨ておむつの展開状態の内面側を示す平面図である。
【発明を実施するための形態】
【００２３】
以下、本発明の一実施形態について、添付図面を参照しつつ詳説する。なお、ホットメルト接着剤による接着箇所のうち説明上必要と認めた箇所については、平面図中には斜線模様を、また断面図中には点模様をそれぞれ付している。
＜吸収パッドの例＞
図１〜４は、吸収パッドの一例５０を示している。この吸収パッド５０は、後述する使い捨ておむつ１等のアウター使い捨ておむつの内面に敷いて使用されることを想定したものであり、股間部Ｃ２と、その前後両側に延在する前側部分Ｆ２及び背側部分Ｂ２とを有するものである。なお、吸収パッドにおける「股間部」とは使用時に身体の股間と対応させる部分を意味し、殆ど多くの製品では前後方向中央部及びその前後近傍の部分である。具体的には、成人向け製品の場合、製品の前後方向中央を基準として前側に２２０ｍｍ、後側に３０ｍｍの範囲である。また、「腹側部分」及び「前側部分」は股間部よりも前側の部分を意味し、「背側部分」及び「後側部分」は股間部よりも後側の部分を意味する。
【００２４】
各部の寸法は適宜定めることができ、例えば、パッド全長Ｌ２（前後方向長さ）は４５０〜６３０ｍｍ程度、パッド全幅Ｗ２は１３５〜３２０ｍｍ程度（ただし、おむつの吸収面の幅より狭い）とすることができ、この場合における股間部Ｃ２の前後方向長さは１５０〜１８０ｍｍ程度、腹側部分Ｆ２の前後方向長さは１２０〜２００ｍｍ程度、及び背側部分Ｂ２の前後方向長さは１８０〜２８０ｍｍ程度とすることができる。
【００２５】
吸収パッド５０は、液不透過性バックシート５１と、透液性トップシート５２との間に、吸収体５３が介在された基本構造を有している。
【００２６】
（吸収体）
吸収体５３としては、パルプ繊維の積繊体、セルロースアセテート等のフィラメントの集合体、あるいは不織布を基本とし、必要に応じて高吸収性ポリマーを混合、固着等してなるものを用いることができる。必要に応じて、吸収体５３はクレープ紙（図示せず）により包むことができる。また、吸収体５３の形状は、股間部の幅が相対的に狭く括れた形状、あるいは長方形状、台形状等、適宜の形状とすることができる。図示形態の吸収体５３は一層構造とされているが、下層吸収体とその上に積層された上層吸収体とからなる二層構造であっても良い。
【００２７】
吸収体５３における繊維目付け及び吸収性ポリマーの目付けは適宜定めることができるが、繊維目付けは２００〜６００ｇ／ｍ2程度とするのが好ましく、また吸収性ポリマーの目付けは１００〜３００ｇ／ｍ2程度とするのが好ましい。
【００２８】
（バックシート）
吸収体５３の裏側には、液不透過性バックシート５１が吸収体５３の周縁より若干食み出すように設けられている。液不透過性バックシート５１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。液不透過性バックシート５１の裏面は、不織布からなる外装シートにより覆うことができる。
【００２９】
（ズレ止め）
吸収パッド５０の裏面には、使い捨ておむつの表面に連結するためのズレ止め部が設けられていないが、設けることもできる。このようなズレ止め部は、面ファスナーのフック材や粘着剤により形成することができる。
【００３０】
（トップシート）
吸収体５３の表面側は、透液性トップシート５２により覆われている。図示形態ではトップシート５２の側縁から吸収体５３が一部食み出しているが、吸収体５３の側縁が食み出さないようにトップシート５２の幅を広げることもできる。トップシート５２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００３１】
（脚周り立体ギャザー）
吸収パッド５０の前後方向両端部では、液不透過性バックシート５１および透液性トップシート５２が吸収体５３の前後端よりも前後両側にそれぞれ延在されて貼り合わされ、吸収体５３の存在しないエンドフラップ部ＥＦが形成されている。吸収パッド５０の両側部では、液不透過性バックシート５１が吸収体５３の側縁よりも外側にそれぞれ延在され、この延在部からトップシート５２の側部までの部分の内面には、脚周り立体ギャザーを形成するための脚周り立体ギャザーシート５４の幅方向外側の付根部分５４ｘが前後方向全体にわたり貼り付けられ、吸収体５３の存在しないサイドフラップ部ＳＦを構成している。これら貼り合わせ部分は、図３及び図４では点模様で示されており、ホットメルト接着剤の他、ヒートシール、超音波シールにより形成できる。
【００３２】
脚周り立体ギャザーシート５４の素材としては、メルトブローン不織布等の各種不織布に撥水処理をしたものが好適に使用される。
【００３３】
脚周り立体ギャザーシート５４の幅方向中央側の突出部分５４ｃはトップシート５２上にまで延在しており、その前後端部が倒伏状態でトップシート５２に固定された倒伏部分５４ｅとされ、この倒伏部分５４ｅの前後方向中間部はトップシートに非固定の自由部分５４ｆとされ、自由部分の幅方向中央側の端部には、細長状弾性部材５４Ｇが前後方向に沿って伸張状態でホットメルト接着剤等により固定されている。この自由部分５４ｆは、図４に二点鎖線で示されるように、細長状弾性部材５４Ｇの収縮力により、物品内面（図示形態ではトップシート５２表面）に対して起立する部分であり、その起立基端５４ｂは脚周り立体ギャザーシート５４の付根部分５４ｘと突出部分５４ｃとの境に位置する。細長状弾性部材５４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００３４】
（平面ギャザー）
また、両側のサイドフラップ部ＳＦにおける、脚周り立体ギャザーシート５４の幅方向外側の部分５４ｘと、液不透過性バックシート５１との間には、細長状弾性部材５７が前後方向に沿って伸張状態でホットメルト接着剤等により固定されており、この細長状弾性部材５７の収縮によりサイドフラップ部ＳＦにはいわゆる平面ギャザーが形成されている。この平面ギャザーにより、おむつの側部が弾性伸縮して脚周りにフィットするようになる。
【００３５】
＜使い捨ておむつの例＞
図５〜図１０は、テープタイプ使い捨ておむつの一例を示しており、この使い捨ておむつは、液不透過性バックシート１の内面と、透液性トップシート２との間に、吸収体３が介在されているものである。
【００３６】
（吸収体）
吸収体３としては、パルプ繊維の積繊体、セルロースアセテート等のフィラメントの集合体、あるいは不織布を基本とし、必要に応じて高吸収性ポリマーを混合、固着等してなるものを用いることができる。図示形態の吸収体３は一層構造とされているが、下層吸収体とその上に積層された上層吸収体とからなる二層構造であっても良い。また、必要に応じて、吸収体３はクレープ紙（図示せず）により包むことができる。また、吸収体３の形状は適宜定めることができるが、図示のような砂時計形状の他、長方形等のように、股間部の前側から後側まで延在する形状が好適である。吸収体３におけるパルプ目付けは１００〜５００ｇ／ｍ2程度、厚みは１〜１５ｍｍ程度であるのが望ましい。また、高吸水性樹脂の目付けは０〜３００ｇ／ｍ2程度であるのが望ましい。高吸水性樹脂含有率が少な過ぎると、十分な吸収能を与えることができず、多過ぎるとパルプ繊維間の絡み合いが無くなり、ヨレや割れ等が発生し易くなる。
【００３７】
（液不透過性バックシート）
液不透過性バックシート１は、吸収体３の周囲より外側に延在しており、吸収体３に吸収された排泄物の裏面側への移動を遮断するものである。バックシート１としては、ポリエチレンフィルム等のプラスチックフィルムの他、ムレ防止の点から遮水性を損なわずに透湿性を備えたシートも用いることができる。この遮水・透湿性シートは、例えばポリエチレンやポリプロピレン等のオレフィン系樹脂中に無機充填材を溶融混練してシートを形成した後、一軸または二軸方向に延伸することにより得られる微多孔性シートを用いることができる。バックシート１の単位面積あたりの重量は１３〜４０ｇ／ｍ2であるのが好ましく、厚みは０．０１〜０．１ｍｍであるのが好ましい。
【００３８】
おむつ外面を布のような外観、肌触りとするために、バックシート１の裏面全体は外装シート１２で覆われており、両シート１，１２の外周縁はおむつの外周縁まで及んでいる。外装シート１２としては各種の不織布を用いることができるが、スパンボンド不織布が好適である。外装シート１２は省略することもできる。
【００３９】
（トップシート）
トップシート２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。また、不織布の加工方法としては、スパンレース法、スパンボンド法、ＳＭＳ法、サーマルボンド法、メルトブローン法、ニードルパンチ法、エアスルー法、ポイントボンド法等の公知の方法を用いることができる。透液性トップシート２に用いる不織布の繊維目付けは１５〜３０ｇ／ｍ2であるのが好ましく、厚みは０．０５〜１ｍｍであるのが好ましい。
【００４０】
トップシート２は、吸収体３の周囲より外側に延在しており、吸収体３側縁より外側に延在する部分がバックシート１にホットメルト接着剤等により固着されている。なお、図中の点模様は固着部分を表しているものである。
【００４１】
（脚周り立体ギャザー）
図７及び図８にも示されるように、物品内面の両側部（図示形態ではトップシート２の側縁部表面からその側方に延在するバックシート１の表面）には、脚周り立体ギャザー４を構成する脚周り立体ギャザーシート４ｓの幅方向外側の付根部分４ｘが前後方向全体にわたり貼り付けられている。脚周り立体ギャザーシート４ｓは、各種不織布（スパンボンド不織布が好適である）の他、バックシートに用いられるものと同様のプラスチックフィルム、又はこれらの積層シートを用いることができるが、肌への感触性の点で、撥水処理を施した不織布が好適である。脚周り立体ギャザーシート４ｓの幅方向中央側の突出部分４ｃは、前後方向両端部では倒伏状態で物品内面（図示形態ではトップシート２表面）にホットメルト接着剤等の手段により固着され、倒伏部分とされているが、これらの間の中間部は非固定の自由部分となっており、この自由部分の先端部等（展開状態における幅方向中央側の端部）には、細長状弾性伸縮部材４Ｇが前後方向に沿って伸張した状態でホットメルト接着剤等により固定されている。この細長状弾性伸縮部材４Ｇは図示例では所定の間隔を空けて複数本設けられているが、一本でも良い。細長状弾性伸縮部材４Ｇ（他の細長状弾性伸縮部材も同様）としては、糸状、紐状、帯状等に形成された天然ゴム又は合成ゴム、具体的にはスチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。この自由部分は、細長状弾性伸縮部材４Ｇの収縮力が作用する結果、図４に示されるように、物品内面（図示形態ではトップシート２表面）に対して起立する脚周り立体ギャザーを構成する。この起立部分の基端４ｂは脚周り立体ギャザー４における幅方向外側の固定部分４ｘと内側の部分４ｃとの境に位置する。なお、図１中の右斜め上がりの斜線部分は脚周り立体ギャザー４の固着部分を示しており、左斜め上がりの斜線部分は後述するウエストギャザーシート３０の固着部分を示している。
【００４２】
使い捨ておむつ１００の前後方向両端部では、バックシート１、外装シート１２、透液性トップシート２および脚周り立体ギャザーシート４ｓが吸収体３の前後端よりも前後両側にそれぞれ延在され、吸収体３の存在しないエンドフラップ部ＥＦが形成されている。一方、使い捨ておむつ１００の左右両側部では、バックシート１、外装シート１２、透液性トップシート２および脚周り立体ギャザーシート４ｓが吸収体３の側縁よりも側方にそれぞれ延在され、吸収体３の存在しないサイドフラップ部ＳＦが形成されている。サイドフラップ部ＳＦのうち腹側部分Ｆのウエスト側部分及び背側部分Ｂのウエスト側部分にそれぞれ位置する部分は、それらの間の中間部分よりも側方に延出されており、これらの部分が、おむつの胴回り部分となり、中間部分が脚周り包囲部分ＬＨとなり、その両側縁が脚開口の縁Ｌｅとなる。
【００４３】
（ファスニングテープ）
背側部分Ｂのサイドフラップ部ＳＦには、その側縁からそれぞれ突出するファスニングテープ５が取り付けられるとともに、腹側部分Ｆの胴回り部表面に幅方向に沿ってフロントターゲットテープ６が貼着されており、身体への装着に際しては、おむつ１００を身体にあてがった状態で、両側のファスニングテープ５を腰の各側から腹側外面に回してフロントターゲットテープ６に止着する。フロントターゲットテープ６は省略することもでき、その場合にはファスニングテープ５はおむつ外面（図示形態の場合外装シート１２）に直に止着される。
【００４４】
図７に示されるように、ファスニングテープ５は、背側部分Ｂのウエスト側サイドフラップ部ＳＦにおけるシート間にホットメルト接着剤等の手段により固定された固定部５ｆと、サイドフラップ部ＳＦの側縁のシート間から幅方向外側に突出する突出部５ｅとを有しており、この突出部５ｅは先端部５ｐと、この先端部５ｐよりも基端側の本体部５ｂとを有している。ファスニングテープ５の先端部５ｐの内面側（透液性表面シート２側）には、ターゲットテープ６との連結のための連結部として、表面にフック状突起を多数有するフック材（メカニカルファスナー（面ファスナー）の雄材）９，９がそれぞれ取り付けられており、フロントターゲットテープ６としてフック状突起が着脱可能に掛止される表面を有するもの（メカニカルファスナー（面ファスナー）の雌材）６が取り付けられている。おむつ外面の素材自体をフロントターゲットテープ６の代わりに用いたり、フック材９に代えて粘着剤層を用いるとともに、フロントターゲットテープ６として粘着性に富むような表面が平滑な樹脂テープを用いたりすることができる。
【００４５】
また、図５に示されるように、ファスニングテープ５には、上下方向中間部における幅方向外側縁から本体部５ｂ内まで幅方向に沿うミシン目１０が設けられており、このミシン目１０を切り離すことにより各々が固定部、本体部、先端部及び連結部を備えた上段部及び下段部に分離することができるものである。ミシン目１０に代えて、予め切断等により分離されていても良い。このようなファスニングテープ５は、上段部と下段部とを交差させた状態で、腹側部分のフロントターゲットテープ６に着脱自在に連結することができる。もちろん、このような上下２段分割タイプに限られず、２段分割しないタイプ等、他の公知のファスニングテープに応用することもできる。
【００４６】
（ウエスト立体ギャザー）
他方、図示形態の使い捨ておむつの後端部（図示例の場合はエンドフラップ部ＥＦ）には、おむつ内面（図示形態ではトップシート２表面）に対して起立するウエスト立体ギャザー（ウエスト漏れ防止帯に相当する）３０が設けられている。より詳細には、図９にも示すように、ウエスト立体ギャザー３０を構成するウエストギャザーシート３２が、ウエスト側の端部が幅方向全体にわたりトップシート２表面にホットメルト接着剤等の接合手段により接合されて固定部分とされるとともに、股間側の部分のうち両端部がトップシート２と脚周り立体ギャザーシート４ｓとの間に挟まれて両シートに対してホットメルト接着剤等の接合手段により接合され（図１にはこれらの接合部分が右斜め下向きの斜線で示されている）、これら両端部の間に位置する本体部分は、脚周り立体ギャザーの自由部分と重なる部分が相互に接合されるが、おむつ表面には非固定とされている。また、本体部分の先端部が内向き（トップシート２側）に折り返されて折り返し部分の対向面相互がホットメルト接着剤等の固手段により固定され、かつこの折り返し部分のシート間に細長状弾性伸縮部材３１が幅方向に沿って伸張した状態でホットメルト接着剤等の固手段により固定されている。細長状弾性伸縮部材３１は図示例では所定の間隔を空けて複数本設けられているが、一本でも良い。この本体部分は、細長状弾性伸縮部材３１の収縮力が作用する結果、図９に二点鎖線で示すように、おむつ表面（図示形態ではトップシート２表面）に対して起立するウエスト立体ギャザー３０を構成する。この起立部分の基端はウエスト立体ギャザー３０におけるウエスト側の端部の固定部分と内側の自由部分との境に位置する。細長状弾性伸縮部材３１は省略し、ギャザーではないが漏れ防止機能を有する構造とすることもできる。
【００４７】
さらに、背側部分Ｂにおけるウエスト側部分（図示例の場合はウエスト側の端部であるエンドフラップ部ＥＦ）は、幅方向中間部が幅方向に弾性伸縮するウエスト伸縮部４０として構成されている。図示例のウエスト伸縮部４０は幅方向中央部にのみ設けられているが、幅方向全体にわたり設けたり、幅方向両側部にのみ設けたりすることもでき、また幅方向中央線ＷＣに関して線対称に設けられているのが好ましい。より詳細には、ウエストギャザーシート３０のウエスト側の端部が内向き（トップシート２側）に折り返され、折り返し部分の対向面相互がホットメルト接着剤等の固手段により固定され、かつこの折り返し部分のシート間に細長状弾性伸縮部材４１が幅方向に沿って伸張した状態でホットメルト接着剤等の固手段により固定されている。この細長状弾性伸縮部材４１は一本でも良いが図示例のように所定の間隔を空けて複数本設けるのが好ましい。この弾性伸縮部材４１の本数は、１〜１０本程度、特に２〜５本程度が適当であり、図示例では３本である。また、その間隔は２〜１５ｍｍ程度、特に３〜７ｍｍ程度とするのが好ましい。さらに、細長状弾性伸縮部材４１の太さは５００〜１５００ｄｔｅｘ程度、特に８００〜１３００ｄｔｅｘ程度（天然ゴムの場合０．１〜３ｍｍ程度、特に０．５〜３ｍｍ程度）とするのが好ましく、また取り付け時の伸張率は１５０〜２５０％程度、特に１６０〜２００％程度とするのが好ましい。図示例では、ウエストギャザーシート３０のウエスト側の端部を利用してウエスト伸縮部４０の弾性伸縮部材４１を取り付けているが、この弾性伸縮部材４１をトップシート２とバックシート１との間や、バックシート１と外装シート１２との間に挟んで固定することもできる。このようなウエスト伸縮部４０を有することにより、おむつ背側部分Ｂにおけるウエスト側の端部が装着者の背中に弾力的に押し当てられ、おむつと装着者の背中との間に隙間が発生し難くなる。
【００４８】
（平面ギャザー）
サイドフラップ部ＳＦの前後方向中間部には、バックシート１と外装シート１２との間に細長状弾性部材７が前後方向に沿って伸張状態でホットメルト接着剤等により固定されており、この細長状弾性部材７の収縮によりサイドフラップ部ＳＦにはいわゆる平面ギャザーが形成されている。この平面ギャザーにより、おむつの側部が弾性伸縮して脚周りにフィットするようになる。
【００４９】
左右各側における細長状弾性部材７の本数は適宜定めることができるが、１〜１０本程度、より好ましくは３〜８本程度が適当であり、複数本とする場合には、その間隔は２〜１５ｍｍ程度、特に６〜１０ｍｍ程度とするのが好ましい。また、各細長状弾性部材７としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができ、太さとしては５００〜１５００ｄｔｅｘ程度、天然ゴムの場合０．１〜３ｍｍ程度、特に０．５〜３ｍｍ程度が好ましい。また、各細長状弾性部材７の固定時の伸長率は１５０〜２５０％程度であるのが好ましい。
【００５０】
（パッド連結部）
特徴的には、脚周り立体ギャザー４の自由部分４ｆの内面における、後方の倒伏部分４ｅの近傍にのみ、フック材９からなるパッド連結部２０が設けられており、おむつの表面に吸収パッド５０を敷く際には、図１１及び図１２に示すように、パッド連結部２０が吸収パッド５０の側部表面に連結される。よって、裏面に係止手段の無い吸収パッド５０でも確実に固定することができる。また、パッド連結部２０は、メカニカルファスナーのフック材９により形成されるが、脚周り立体ギャザー４の内面に隠れるため、装着者の肌に触れるおそれは少ない。しかも、パッド連結部２０の位置が、後方の倒伏部分４ｅの近傍であるから、パッド連結部２０を吸収パッド５０の側部表面に連結したとしても、脚周り立体ギャザー４の自由部分４ｆの大部分が起立可能となり、十分な漏れ防止機能を発揮する。また、脚周り立体ギャザー４の自由部分４ｆのうち倒伏部分４ｅの近傍は起立高さが低いため、脚周り立体ギャザー４に加わる起立力によりパッド連結部２０が剥がれるといった事態が発生し難いという利点もある。
【００５１】
さらに、本実施形態では、両脚周り立体ギャザー４の自由部分４ｆの後端部を繋ぐウエスト立体ギャザー３０（ウエスト漏れ防止帯に相当する）３０が設けられているため、図１３及び図１４に示すように、ウエスト立体ギャザー３０の幅方向中間部を掴んで引き上げることにより、これに繋がる脚周り立体ギャザー４のパッド連結部２０を有する部位が左右両側ともにおむつ表面から持ち上がるため、パッド連結部２０の下側への吸収パッド５０の挿入作業が容易となる。
【００５２】
トップシート２表面におけるパッド連結部２０と対向する部位には、フック材９が係止不可能な非係止部２１が設けられていると、パッド連結部２０がおむつ表面に付着しないため、吸収パッド５０の装着に先立ってパッド連結部２０を剥がす必要がなくなるとともに、使用時に誤ってパッド連結部２０がおむつ表面に付着するのも防止できるため好ましい。このような非係止部２１は、表面が平滑な樹脂フィルム等をトップシート２表面に張り付けることにより形成でき、特にフック材９を非係止部２１として張り付けると、吸収パッド５０の裏面が不織布により形成されている場合に、吸収パッド５０の側部を表裏両側から係止でき、より確実な固定が可能となる。
【００５３】
パッド連結部２０の前後方向位置は適宜定めることができるが、図示形態のようにウエスト立体ギャザー３０を備えている場合、脚周り立体ギャザー４の自由部分４ｆにおける、ウエスト立体ギャザー３０の股間側の縁と対応する前後方向位置又はその股間側近傍に、パッド連結部２０を設けるのが好ましい。これにより、図１３及び図１４に示すように、ウエスト立体ギャザー３０の幅方向中間部を掴んで引き上げると、脚周り立体ギャザー４の自由部分４ｆは、ウエスト立体ギャザー３０の股間側の縁と対応する前後方向位置又はその股間側近傍が直接的に引き上げられる部位となる。よって、この部位にパッド連結部２０を設けておくことにより、しっかりとかつ大きくパッド連結部２０を引き上げることができる。
【００５４】
パッド連結部２０の形状（つまりフック材の形状）は適宜定めれば良いが、製造上は図示形態のように矩形とするのが好ましく、特に図示形態のようにウエスト立体ギャザー３０を備える場合、ウエスト立体ギャザー３０による引き上げ方向に沿うように傾斜して取り付けると好ましいが、図１５及び図１６に示すように幅方向に沿うように取り付けても良い。
【００５５】
パッド連結部２０の幅方向位置は適宜定めることができるが、図示形態のように、脚周り立体ギャザー４の自由部分４ｆにおけるギャザー弾性部材よりも付根部分側に設けられているのが好ましい。パッド連結部２０を吸収パッド５０の側部表面に連結すると、この連結部における脚周り立体ギャザー４の起立高さは低くならざるを得ない。しかし、パッド連結部２０を脚周り立体ギャザー４のギャザー弾性部材よりも付根部分側に設けることにより、図１２に示すように、自由部分４ｆが起立する前後方向長さが減少しない。また、パッド連結部２０を有する部位は倒伏部分４ｅの近傍であり、起立高さが元々低い部位であるため、わずかでも自由部分４ｆが残されていればその起立幅は狭くなるが起立高さは殆ど変わらない。
【００５６】
＜その他＞
（ａ）  図１５に示すように、パッド連結部２０は、脚周り立体ギャザー４の自由部分４ｆの前方の倒伏部分４ｅの近傍にも設けることができる。これに合わせて、ウエスト立体ギャザー３０（ウエスト漏れ防止帯）をおむつの前端部にも設けることができる。また、図示しないが、パッド連結部２０を脚周り立体ギャザー４の自由部分４ｆの前方の倒伏部分４ｅの近傍にのみ設けたり、ウエスト立体ギャザー３０（ウエスト漏れ防止帯）をおむつの前端部にのみ設けることもできる。
【００５７】
（ｂ）  図１６に示すように、前述のウエスト立体ギャザー３０（ウエスト漏れ防止帯）を省略することもできる。
【００５８】
（ｃ）  図示しないが、アウター使い捨ておむつの脚周り立体ギャザー４の自由部分４ｆの前後長よりも長い吸収パッド５０を用いるとともに、吸収パッド５０の前後少なくとも一方の端部を肌側に折り返して、この折り返し部分をパッド連結部２０と連結すると、吸収パッド５０の前後端部をウエスト漏れ防止帯とすることができる。この場合、吸収パッド５０の裏面が不織布等のフック材９を係止可能な素材であることが必要である。このような装着構造は、アウター使い捨ておむつのウエスト漏れ防止帯と組み合わせて、又はこれに代えて採用することができる。
【産業上の利用可能性】
【００５９】
本発明は、上記例のようにテープタイプ使い捨ておむつに好適なものであるが、パンツ型を含め、使い捨ておむつ全般に利用できるものである。
【符号の説明】
【００６０】
１…液不透過性バックシート、２…トップシート、３…吸収体、４…脚周り立体ギャザー、４ｆ…自由部分、４ｅ…倒伏部分、５…ファスニングテープ、６…ターゲットテープ、９…フック材、１０…ミシン目、１２…外装シート、２０…パッド連結部、２１…非係止部、３０…ウエスト立体ギャザー、４０…ウエスト伸縮部、５０…吸収パッド。
【図１】
2014068852.tif 000003
【図２】
2014068852.tif 000004
【図３】
2014068852.tif 000005
【図４】
2014068852.tif 000006
【図５】
2014068852.tif 000007
【図６】
2014068852.tif 000008
【図７】
2014068852.tif 000009
【図８】
2014068852.tif 000010
【図９】
2014068852.tif 000011
【図１０】
2014068852.tif 000012
【図１１】
2014068852.tif 000013
【図１２】
2014068852.tif 000014
【図１３】
2014068852.tif 000015
【図１４】
2014068852.tif 000016
【図１５】
2014068852.tif 000017
【図１６】
2014068852.tif 000018